(57)【要約】  分光測色計の内部に大きな空間を設けることなく、被測定位置に観察光を照射できるようにし、被測定位置を容易に知ることができるようにする。分光測色計において、被測定位置と光学的に共役である位置にスリットが配置される。被測定物からの光が、スリットを通過し、測定光路を進み、波長分散素子に波長分散される。分光スペクトルの測定時に、観察光源が測定光路外に退避させられる。被測定位置の観察時に、観察光源が、測定光路内に挿入され、スリットに向けて観察光を発光する。又は、被測定物からの光が、スリットを通過し、回折格子に回折される。観察光源が０次光の光路上に配置される。被測定位置の観察時に、観察光源が回折格子に向けて観察光を発光する。
2018221082.tif 000002
【特許請求の範囲】
【請求項１】
被測定位置からの被測定光を結像させ、結像させられた被測定光を生成する受光光学系と、
前記被測定位置と光学的に共役である位置に配置され前記結像させられた被測定光を通過させ測定光路を進む被測定光を生成するスリットが形成されたスリット形成物と、
前記測定光路を進む被測定光を波長分散し、波長分散された被測定光を生成する波長分散素子と、
前記波長分散された被測定光を受光し、分光スペクトルを表現する信号を出力するセンサーと、
前記被測定位置の観察時に観察光を発光する観察光源と、
前記被測定位置の観察時に前記観察光が前記スリットに向けて発光されるように前記測定光路内に前記観察光源を挿入し、前記分光スペクトルの測定時に前記測定光路外に前記観察光源を退避させる挿抜機構と、
を備える分光測色計。
【請求項２】
被測定位置からの被測定光を結像させ、結像させられた被測定光を生成する受光光学系と、
前記結像させられた被測定光を通過させ測定光路を進む被測定光を生成するスリットが形成されたスリット形成物と、
前記測定光路を進む被測定光を回折し、回折光を生成する、回折格子と、
前記回折光を受光し、分光スペクトルを表現する信号を出力するセンサーと、
前記回折光の内、０次光の光路上に配置され、前記被測定位置の観察時に前記回折格子に向けて観察光を発光する観察光源と、
を備える分光測色計。
【請求項３】
前記観察光は、前記分光スペクトルの波長範囲外の波長を有し、
前記観察光の波長に対する感度を有し、前記被測定位置を撮像するカメラ
をさらに備える
請求項２の分光測色計。
【請求項４】
前記測定光路を進む被測定光の主光線及び前記０次光の主光線を含む平面から前記回折光が外れるように前記回折格子が配置される
請求項２又は３の分光測色計。
【請求項５】
前記観察光源は、
前記観察光を発光する発光ダイオード
を備える
請求項１から４までのいずれかの分光測色計。
【請求項６】
前記観察光源は、
互いに異なる色を有する複数の光をそれぞれ発光する複数の光源
を備え、
前記複数の光において前記観察光として用いる光を切り替える切り替え手段
をさらに備える
請求項１から５までのいずれかの分光測色計。
【請求項７】
前記分光スペクトルの測定時に試料を照明するための照明光を発光し、前記被測定位置の観察時にも前記照明光を発光する照明光源
をさらに備える請求項１から６までのいずれかの分光測色計。
【請求項８】
前記被測定位置の観察時に前記照明光の光量を調整する調整手段
をさらに備える請求項７の分光測色計。
【発明の詳細な説明】
【技術分野】
【０００１】
本発明は、分光測色計に関する。
【背景技術】
【０００２】
分光スペクトルを測定する分光測色計の被測定範囲が微小である場合は、被測定位置が意図する位置からわずかにずれたにすぎないときであっても、測定される分光スペクトルが意図する位置からの光の分光スペクトルから大きく変化する場合がある。このため、分光測色計の被測定範囲が微小である場合は、測定前に被測定位置を観察できるようにし、測定前に被測定位置を意図する位置に合わせることができるようにすることが望まれる。特許文献１に記載された技術は、分光器においてそのようなことを可能にする技術の例である。【０００３】
特許文献１に記載された技術においては、観察光が注入される場合に、シャッタが閉状態となる。また、ＬＥＤが、シャッタに向けて観察光を照射し、シャッタが、照射された観察光を対物レンズに向けて反射し、対物レンズが、反射光を被測定物の表面に結像させる。測定部位が、被測定物の表面に結像した光の位置から特定される。また、測定が行われる場合に、シャッタが開かれ、スリットミラーを通過した光が受光部に導かれる（段落００２７−００３１）。
【先行技術文献】
【特許文献】
【０００４】
【特許文献１】特開２００９−２８８１５０号公報
【発明の概要】
【発明が解決しようとする課題】
【０００５】
特許文献１に記載された技術に代表される従来の技術においては、測定位置に観察光を照射するための機構を分光測色計の内部に収容するために分光測色計の内部に大きな空間を設けなければならない。例えば、特許文献１に記載された技術においては、スリットミラー等を分光器の内部に収容するために分光器の内部に大きな空間を設けなければならない。【０００６】
以下で説明する発明は、この問題を解決することを目的とする。以下で説明する発明が解決しようとする課題は、分光測色計の内部に大きな空間を設けることなく、被測定位置に観察光を照射できるようにし、被測定位置を容易に知ることができるようにすることである。
【課題を解決するための手段】
【０００７】
以下で説明される発明は、分光測色計に関する。【０００８】
（１）以下で説明される第１の発明においては、被測定位置からの被測定光が、受光光学系により結像させられる。これにより、結像させられた被測定光が生成される。【０００９】
結像させられた被測定光は、被測定位置と共役である位置に配置されるスリットを通過する。これにより、測定光路を進む被測定光が生成される。【００１０】
測定光路を進む被測定光は、波長分散素子により波長分散される。これにより、波長分散された光が生成される。【００１１】
センサーは、波長分散された光を受光し、分光スペクトルを表現する信号を出力する。【００１２】
挿抜機構は、被測定位置の観察時に測定光路内に観察光源を挿入し、分光スペクトルの測定時に測定光路外に観察光源を退避させる。【００１３】
観察光源は、被測定位置の観察時にスリットに向けて観察光を発光する。【００１４】
（２）以下で説明される第２の発明においては、被測定位置からの被測定光が、受光光学系により結像させられる。これにより、結像させられた被測定光が生成される。【００１５】
結像させられた被測定光は、スリットを通過する。これにより、測定光路を進む被測定光が生成される。【００１６】
測定光路を進む被測定光は、回折格子により回折される。これにより、回折光が生成される。また、測定光路を進む被測定光は、回折格子により反射される。これにより、０次光が生成される。【００１７】
センサーは、回折光を受光し、分光スペクトルを表現する信号を出力する。【００１８】
観察光源は、０次光の光路上に配置され、被測定位置の観察時に回折格子に向けて観察光を発光する。
【発明の効果】
【００１９】
以下で説明する発明によれば、分光測色計の内部に大きな空間を設けることなく、被測定位置に観察光を照射できるようになり、被測定位置を容易に知ることができるようになる。【００２０】
この発明の目的、特徴、局面、および利点は、以下の詳細な説明と添付図面とによって、より明白となる。
【図面の簡単な説明】
【００２１】
【図１】第１実施形態の分光測色計を図示する模式図である。
【図２】第１実施形態の分光測色計に備えられる分光器の断面を図示する模式図である。
【図３】第１実施形態の分光測色計に備えられる分光器および観察光源の駆動機構の部分断面を図示する模式図である。
【図４】第１実施形態の分光測色計に備えられる観察光源を置き換えうる観察光源を図示する模式図である。
【図５】第２実施形態の分光測色計を図示する模式図である。
【図６】第２実施形態の分光測色計における回折格子の配置を図示する斜視図である。
【図７】第２実施形態の分光測色計における回折格子の配置と対比される回折格子の配置を図示する斜視図である。
【発明を実施するための形態】
【００２２】
１  第１実施形態
１．１  分光測色計
図１は、第１実施形態の分光測色計を図示する模式図である。図２は、第１実施形態の分光測色計に備えられる分光器の断面を図示する模式図である。図３は、第１実施形態の分光測色計に備えられる分光器および観察光源の駆動機構の部分断面をの断面を図示する模式図である。
【００２３】
図２は、図３のＡ−Ａ切断線の位置における断面を図示する。図３は、図２のＢ−Ｂ切断線における部分断面を図示する。
【００２４】
図１に図示される分光測色計１０００は、照明光学系１０２０、受光光学系１０２１、分光器１０２２、コントローラー１０２３及び操作部１０２４を備える。分光測色計１０００がこれらの構成物以外の構成物を備えてもよい。
【００２５】
分光測色計１０００は、d:8ジオメトリを有する物体色の分光測色計である。このため、分光測色計１０００においては、照明光学系１０２０が、拡散光により試料を照明する。また、受光光学系１０２１が、試料からその表面の法線方向と８°をなす方向に出射する被測定光を受光し、分光器１０２２に導く。また、分光器１０２２が、受光光学系１０２１により導かれてきた被測定光の分光スペクトルを測定する。
【００２６】
照明光学系１０２０は、照明光源１０４０及び積分球１０４１を備える。照明光学系１０２０がこれらの構成物以外の構成物を備えてもよい。受光光学系１０２１は、受光レンズ１０６０を備える。受光光学系１０２１が受光レンズ１０６０以外の構成物を備えてもよい。分光器１０２２は、図１、図２及び図３に図示されるように、スリット板１０８０、レンズ１０８１、回折格子１０８２、ラインセンサー１０８３、観察光源１０８４及び挿抜機構１０８５を備える。分光器１０２２がこれらの構成物以外の構成物を備えてもよい。スリット板１０８０には、スリット１１００が形成される。板状のスリット形成物であるスリット板１０８０が、板状でないスリット形成物に置き換えられてもよい。回折格子１０８２が回折格子１０８２以外の波長分散素子に置き換えられてもよい。例えば、回折格子１０８２がプリズムに置き換えられてもよい。波長分散方向に配列された複数の光電変換素子を備えるラインセンサー１０８３がラインセンサー１０８３以外のセンサーに置き換えられてもよい。例えば、ラインセンサー１０８３がひとつの光電変換素子を備えるセンサーに置き換えられてもよい。その場合は、当該センサーを波長分散方向に走査する走査機構が設けられる。もしくは前記波長分散素子を波長分散方向に回転走査する走査機構が設けられる。
【００２７】
１．２  分光スペクトルの測定
分光スペクトルの測定は、操作部１０２４に対して行われた測定の開始を指示する操作をコントローラー１０２３が検出するのに応答して開始される。測定の開始の引き金が、操作部１０２４に対して行われた測定の開始を指示する操作以外であってもよい。例えば、測定開始の引き金が、分光測色計１０００に通信可能に接続された機器から入力された測定の開始を指示する信号であってもよい。
【００２８】
分光スペクトルの測定時には、挿抜機構１０８５が、コントローラー１０２３による制御にしたがって、測定光路１１２０外に観察光源１０８４を退避させる。観察光源１０８４の退避は、回転機構１０９０が、観察光源１０８４が取り付けられたアーム１０９１を回転中心１０９２の周りに回転させることにより行われる。
【００２９】
また、分光スペクトルの測定時には、照明光源１０４０が、コントローラー１０２３による制御にしたがって、試料を照明するための照明光を発光する。
【００３０】
発光された照明光は、積分球１０４１の側面に形成された開口１１４０を経由して積分球１０４１の内部に形成された空間１１６０に入射し、空間１１６０を囲む拡散反射面１１８０で拡散多重反射される。これにより、照明光は、均一な拡散照明光になる。
【００３１】
均一な拡散照明光になった照明光は、積分球１０４１に形成された測定開口１２００から出射し、測定開口１２００に対向する領域を照明し、被測定位置１２２０に配置された試料の表面により反射される。これにより、被測定位置１２２０からの被測定光１２４０が生成される。
【００３２】
正反射光を除去した測定を行う場合は、積分球１０４１に形成された開閉可能なトラップ１２６０を開放することにより正反射光が除去される。
【００３３】
生成された被測定光１２４０は、受光レンズ１０６０によりスリット１１００に結像させられる。これにより、結像させられた被測定光１２８０が生成される。受光レンズ１０６０は、その光軸方向に可動である。受光レンズ１０６０をその光軸方向に動かすことにより、被測定領域の大きさを変更することができる。
【００３４】
結像させられた被測定光１２８０は、スリット１１００を通過する。これにより、スリット１１００と回折格子１０８２との間にある測定光路１１２０を進む被測定光１３００が生成される。
【００３５】
測定光路１１２０を進む被測定光１３００は、レンズ１０８１により導かれ、回折格子１０８２により回折される。これにより、−１次回折光１３２０を含む回折光が生成される。測定光路１１２０を進む被測定光１３００は回折により波長分散されるため、−１次回折光１３２０は波長分散された光となっている。
【００３６】
生成された−１次回折光１３２０は、ラインセンサー１０８３に受光される。ラインセンサー１０８３が−１次回折光１３２０以外の回折光を受光してもよい。
【００３７】
ラインセンサー１０８３は、受光した−１次回折光１３２０に応じた分光スペクトルを表現する信号を出力する。
【００３８】
１．３  被測定位置の観察
分光測色計１０００は、被測定位置１２２０に観察光を照射する機能を有する。分光測色計１０００のオペレーターは、被測定位置１２２０に観察光が照射されることにより現れるハイライト部を積分球１０４１に形成されたファインダー孔１３４０を通して視認することにより、被測定位置１２２０を観察できる。
【００３９】
被測定位置１２２０の観察時には、挿抜機構１０８５が、コントローラー１０２３による制御にしたがって、測定光路１１２０内に観察光源１０８４を挿入する。観察光源１０８４の挿入は、回転機構１０９０が、観察光源１０８４が取り付けられたアーム１０９１を回転中心１０９２の周りに回転させることにより行われる。測定光路１１２０内に観察光源１０８４が挿入された状態においては、観察光源１０８４の発光面がスリット１１００を向き、観察光源１０８４がスリット１１００に向けて観察光を発光できる。
【００４０】
被測定位置１２２０の観察時には、観察光源１０８４が、コントローラー１０２３による制御にしたがって、スリット１１００に向けて観察光を発光する。
【００４１】
発光された観察光は、スリット１１００を通過し、受光レンズ１０６０により結像させられる。
【００４２】
スリット１１００は、被測定位置１２２０と光学的に共役である位置に配置される。このため、観察光源１０８４が観察光を発光した場合には、スリット１１００の像が試料の表面に結像させられる。スリット１１００の像が結像させられる位置は被測定位置１２２０であるため、オペレーターは、積分球１０４１に形成されたファインダー孔１３４０を通してスリット１１００の像を視認することにより、被測定位置１２２０を観察できる。
【００４３】
スリット１１００と被測定位置１２２０が光学的に共役であることは、観察光源１０８４が配置される位置がずれてもスリット１１００の像が結像させられる位置がずれないようにすることに寄与する。また、挿抜機構１０８５によって、測定光路１１２０内に観察光源１０８４を挿入することは、観察光源１０８４をスリット１１００の近くに配置することを可能にし、ポインタ光として利用できる観察光を増やすことに寄与する。
【００４４】
第１実施形態の分光測色計１０００によれば、分光測色計１０００の内部のスリット１１００と回折格子１０８２との間等に大きな空間を設けることなく、被測定位置１２２０にポインタ光となる観察光を照射できるようになり、被測定位置１２２０を容易に観察できるようになる。また、第１実施形態の分光測色計１０００によれば、ミラーのような追加の部材も不要である。
【００４５】
１．４  観察光源
観察光源１０８４は、観察光を発光する発光ダイオード（ＬＥＤ）を備える。ＬＥＤは、望ましくは薄型のＬＥＤである。発光ダイオード以外の光源が観察光を発光することも許されるが、ＬＥＤが観察光を発光する場合は、分光測色計１０００を小型にすることができる。また、ＬＥＤが観察光を発光する場合は、観察光源１０８４の消費電力が減少し、観察光源１０８４の寿命が長くなる。
【００４６】
図４は、第１実施形態の分光測色計に備えられる観察光源を置き換えうる観察光源を図示する模式図である。
【００４７】
図４に図示される観察光源１３８０は、図１に図示される観察光源１０８４を置き換えることができ、ＬＥＤ１４００，１４０１及び１４０２を備える。ＬＥＤ１４００，１４０１及び１４０２は、それぞれ光１４２０，１４２１及び１４２２を発光する。光１４２０，１４２１及び１４２２は、互いに異なる色を有する。ＬＥＤ１４００，１４０１及び１４０２からなる３個のＬＥＤが２個のＬＥＤ又は４個以上のＬＥＤに置き換えられてもよい。ＬＥＤ１４００，１４０１及び１４０２の少なくとも一部がＬＥＤ以外の光源に置き換えられてもよい。
【００４８】
観察光源１０８４が観察光源１３８０に置き換えられる場合は、コントローラー１０２３及び操作部１０２４が、光１４２０，１４２１及び１４２２において観察光として用いる光を切り替える切り替え機構として動作する。すなわち、コントローラー１０２３が、操作部１０２４に対して行われた色を選択する操作を検出し、選択された色に応じた色の光を観察光源１３８０が発光するようにＬＥＤ１４００，１４０１及び１４０２を制御する。これにより、試料の表面の色に応じて観察光の色を選択でき、被測定位置１２２０をより容易に観察できる。被測定位置１２２０の観察時に試料の色が仮測定され、仮測定の結果を利用して観察光源１３８０が発光する光の色が決定されてもよい。
【００４９】
１．５  被測定位置の観察時における照明光の発光
物体色の分光測色計１０００においては、照明光学系１０２０と試料との間の間隙に照明光以外の外光が入らないようするために、当該間隙がターゲットマスク等により遮光される場合が多い。そして、当該間隙が遮光される場合は、観察光が被測定位置１２２０に照射されただけでは、被測定位置１２２０以外を視認することが困難であるため、被測定位置１２２０が試料の表面のどの部分であるのかを判別することができない。このため、被測定位置１２２０の観察時に照明光源１０４０が補助光源として利用され、被測定位置１２２０の観察時に照明光源１０４０がコントローラー１０２３により制御にしたがって照明光を発光するようにされてもよい。これにより、被測定位置１２２０以外を視認することが可能になり、被測定位置１２２０が試料の表面のどの部分であるのかを判別できるようになる。
【００５０】
被測定位置１２２０の観察時に照明光が発光される場合は、コントローラー１０２３及び操作部１０２４が照明光の光量を調整する調整機構として機能する。すなわち、コントローラー１０２３が、操作部１０２４に対して行われた照明光の光量を設定する操作を検出し、選択された光量に応じた光量を有する照明光を照明光源１０４０が発光するように照明光源１０４０を制御する。
【００５１】
１．６  その他
d:8ジオメトリを有する物体色の分光測色計１０００以外の分光測色計において観察光を被測定位置１２２０に照射するための上記の構成が採用されてもよい。試料を透過した透過光の分光スペクトルが測定されてもよい。
【００５２】
２  第２実施形態
２．１  第１実施形態と第２実施形態との主な相違
第１実施形態と第２実施形態との主な相違は、第１実施形態においては、被測定位置１２２０の観察時に測定光路１１２０内に観察光源１０８４が挿入されるのに対して、第２実施形態においては、被測定光を回折格子が反射することにより生成される０次光の光路上に観察光源が常に配置される点にある。この主な相違をもたらす構成の採用を阻害しない範囲内において、第１実施形態の分光測色計１０００の構成又はその変形が第２実施形態の分光測色計において採用されてもよい。
【００５３】
２．２  分光測色計
図５は、第２実施形態の分光測色計を図示する模式図である。
【００５４】
図５に図示される分光測色計２０００は、照明光学系２０２０、受光光学系２０２１、分光器２０２２、コントローラー２０２３、操作部２０２４及びカメラ２０２５を備える。
【００５５】
照明光学系２０２０は、照明光源２０４０及び積分球２０４１を備える。受光光学系２０２１は、受光レンズ２０６０を備える。分光器２０２２は、スリット板２０８０、レンズ２０８１、回折格子２０８２、ラインセンサー２０８３及び観察光源２０８４を備える。スリット板２０８０には、スリット２１００が形成される。
【００５６】
２．３  分光スペクトルの測定
分光スペクトルの測定時には、照明光源２０４０が、コントローラー２０２３による制御にしたがって、試料を照明するための照明光を発光する。
【００５７】
発光された照明光は、積分球２０４１の側面に形成された開口２１４０を経由して積分球２０４１の内部に形成された空間２１６０に入射し、空間２１６０を囲む拡散反射面２１８０で拡散多重反射される。これにより、照明光は、均一な拡散照明光になる。
【００５８】
均一な拡散照明光になった照明光は、積分球２０４１に形成された測定開口２２００から出射し、測定開口２２００に対向する領域を照明し、被測定位置２２２０に配置された試料の表面により反射される。これにより、被測定位置２２２０からの被測定光２２４０が生成される。
【００５９】
生成された被測定光２２４０は、受光レンズ２０６０により結像させられる。これにより、結像させられた被測定光２２８０が生成される。
【００６０】
結像させられた被測定光２２８０は、スリット２１００を通過する。これにより、スリット２１００と回折格子２０８２との間にある測定光路２１２０を進む被測定光２３００が生成される。
【００６１】
測定光路２１２０を進む被測定光２３００は、レンズ２０８１により導かれ、回折格子２０８２により回折及び反射される。回折により、−１次回折光２３２０を含む回折光が生成される。反射により、０次光２３２１が生成される。測定光路２１２０を進む被測定光２３００は回折により波長分散されるため、−１次回折光２３２０は波長分散された光となっている。
【００６２】
生成された−１次回折光２３２０は、ラインセンサー２０８３に受光される。
【００６３】
ラインセンサー２０８３は、受光した−１次回折光２３２０に応じた分光スペクトルを表現する信号を出力する。
【００６４】
２．４  被測定位置の観察
分光測色計２０００は、被測定位置２２２０に観察光を照射する機能を有する。オペレーターは、被測定位置２２２０に観察光が照射されることにより現れる輝点、輝線等を積分球２０４１に形成されたファインダー孔２３４０を通して視認することにより、被測定位置２２２０を観察できる。
【００６５】
観察光源２０８４は、０次光２３２１の光路上に配置される。０次光２３２１の光路は測定光路２１２０外にあるため、分光スペクトルの測定時に観察光源２０８４を退避する必要はない。したがって、観察光源２０８４、観察光を反射するミラー等を可動とすることは不要であり、観察光源２０８４、観察光を反射するミラー等を動かす駆動機構は不要である。
【００６６】
被測定位置２２２０の観察時には、観察光源２０８４が、コントローラー２０２３による制御にしたがって、回折格子２０８２に向けて観察光を発光する。
【００６７】
発光された観察光は、回折格子２０８２により反射され、スリット２１００を通過し、受光レンズ２０６０により結像させられる。
【００６８】
観察光源２０８４が観察光を発光した場合には、スリット２１００の像が試料の表面に結像させられる。スリット２１００の像が結像させられる位置は被測定位置２２２０であるため、オペレーターは、積分球２０４１に形成されたファインダー孔２３４０を通してスリット２１００の像を視認することにより、被測定位置２２２０を観察できる。
【００６９】
第２実施形態においては、第１実施形態と異なり、被測定位置２２２０と光学的に共役である位置にスリット２１００が配置される必要はない。
【００７０】
第２実施形態の分光測色計２０００によれば、分光測色計２０００の内部に大きな空間を設けることなく、被測定位置２２２０に観察光を照射できるようになり、被測定位置２２２０を容易に観察できるようになる。また、第２実施形態の分光測色計２０００によれば、ミラーのような追加の部材も不要である。
【００７１】
加えて、第２実施形態の分光測色計２０００によれば、観察光源２０８４の発光面積が小さい場合であっても分光器２０２２の入射瞳の全体に観察光が照射されるため、スリット２１００を通過した観察光においては、ＮＡが分光器２０２２のＮＡと等しくなっている。したがって、被測定位置２２２０と光学的に共役である位置にスリット２１００が配置されない場合であっても、被測定領域の全体を観察できる。
【００７２】
２．５  観察光の波長
観察光が、測定される分光スペクトルの波長範囲外の波長を有してもよい。例えば、測定される分光スペクトルの波長範囲が可視域である場合は、観察光が紫外域又は赤外域に属する波長を有してもよい。これにより、観察光が分光スペクトルの測定に影響しなくなるので、分光スペクトルの測定時に被測定位置２２２０を観察できるようになる。
【００７３】
測定される分光スペクトルの波長範囲外の波長を観察光が有する場合は、カメラ２０２５が、観察光の波長に対する感度を有し、被測定位置２２２０を撮像する。
【００７４】
２．６  回折格子の配置
図６は、第２実施形態の分光測色計における回折格子の配置を図示する斜視図である。図７は、第２実施形態の分光測色計における回折格子の配置と対比される回折格子の配置を図示する斜視図である。
【００７５】
第２実施形態の分光測色計２０００においては、図６に図示されるように、測定光路２１２０を進む被測定光２３００の主光線及び０次光２３２１の主光線を含む平面２５００から−１次回折光２３２０が外れるように回折格子２０８２が設置される。
【００７６】
図７に図示されるように測定光路２１２０を進む被測定光２３００の主光線及び０次光２３２１の主光線を含む平面２５００から−１次回折光２３２０が外れない場合は、回折格子２０８２が被測定光２３００を回折することにより生成される−１次回折光２３２０が、回折格子２０８２が０次光２３２１の光路上からの光を回折することにより生成される１次回折光２３２２が向かう位置と同じ位置に向かい、ラインセンサー２０８３が−１次回折光２３２０及び１次回折光２３２２の両方を受光する。このため、観察光源２０８４が０次光２３２１を反射することにより生成される反射光又は観察光源２０８４が０次光２３２１を受光した場合に発する蛍光が、迷光になり、分光スペクトルの測定に影響する。
【００７７】
これに対して、図６に図示されるように回折格子２０８２が−１次回折光２３２０及び０次光２３２１に対して回転させられ測定光路２１２０を進む被測定光２３００の主光線及び０次光２３２１の主光線を含む平面２５００から−１次回折光２３２０が外れる場合は、回折格子２０８２が被測定光２３００を回折することにより生成される−１次回折光２３２０が、回折格子２０８２が０次光２３２１の光路上からの光を回折することにより生成される１次回折光２３２２が向かう位置と異なる位置に向かい、ラインセンサー２０８３が−１次回折光２３２０を受光するが１次回折光２３２２を受光しない。このため、観察光源２０８４が０次光２３２１を反射することにより生成される反射光又は観察光源２０８４が０次光２３２１を受光した場合に発する蛍光が、分光スペクトルの測定に影響しない。
【００７８】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７９】
１０００，２０００  分光測色計
１０２０，２０２０  照明光学系
１０２１，２０２１  受光光学系
１０２２，２０２２  分光器
１０２３，２０２３  コントローラー
１０２４，２０２４  操作部
１０６０，２０６０  受光レンズ
１０８０，２０８０  スリット板
１０８１，２０８１  レンズ
１０８２，２０８２  回折格子
１０８３，２０８３  ラインセンサー
１０８４，１３８０，２０８４  観察光源
１０８５  挿抜機構
１１００，２１００  スリット
１１２０，２１２０  測定光路
１２２０，２２２０  被測定位置
１２４０，２２４０  被測定光
１３２０，２３２０  −１次回折光
１４００，１４０１，１４０２  ＬＥＤ
２０２５  カメラ
２３２１  ０次光
【図１】
2018221082.tif 000003
【図２】
2018221082.tif 000004
【図３】
2018221082.tif 000005
【図４】
2018221082.tif 000006
【図５】
2018221082.tif 000007
【図６】
2018221082.tif 000008
【図７】
2018221082.tif 000009
【国際調査報告】
2018221082.tif 000010
2018221082.tif 000011
2018221082.tif 000012
2018221082.tif 000013